(57)【要約】【課題】真空ポンプ内部への水分流入を最小化できる吸引ノズルを備え、真空度を測定する圧力スイッチの耐久性を向上させ、且つダイアフラム式真空ポンプを備えて内部構成をコンパクト化したハンディー型真空吸引装置を提供する。【解決手段】外部ケース；吸引ノズルを含み、前記外部ケースの下端に着脱可能に取り付けられるキャップ；前記外部ケースに内装され、前記キャップ内部の圧力が所定圧力以下に落ちる場合、スプリングの弾性力を克服して下降するスライドボディーを備えて電源供給を遮断する圧力スイッチと、上下に貫通形成された吸引管とを含む圧力スイッチ部；前記吸引管に連結される吸気口を備え、ダイアフラム方式によって空気を吸引する真空ポンプ；および作動スイッチを備え、前記真空ポンプと前記圧力スイッチと電気的に連結されて前記真空ポンプの作動を制御する制御部を含む。【選択図】図２
2008281007.tif 000002
【特許請求の範囲】
【請求項１】
ハンディー型真空吸引装置であって、
外部ケースと、
下部に吸引口を有し、且つ側面に前記吸引口と連通する側面排出孔を有する吸引ノズルを含み、前記外部ケースの下端に着脱可能に取り付けられるキャップと、
前記外部ケースに内装され、前記キャップ内部の圧力が所定圧力以下に落ちる場合、スプリングの弾性力を克服して下降するスライドボディーを有して電源供給を遮断する圧力スイッチと、上下に貫通形成された吸引管とを含む圧力スイッチ部と、
前記吸引管に連結される吸気口を有し、ダイアフラム方式によって空気を吸引する真空ポンプと、
作動スイッチを有し、前記真空ポンプと前記圧力スイッチとに電気的に連結されて前記真空ポンプの作動を制御する制御部とを備えるハンディー型真空吸引装置。
【請求項２】
前記圧力スイッチ部の前記圧力スイッチは、
１対の端子と接点を形成する導電性の接触パネルと、
前記接触パネルが固定されるスライドボディーと、
前記スライドボディーの下部に設けられるカバーと、
前記スライドボディーと前記カバーとの間に設けられ、前記スライドボディーを弾性支持するスプリングとを含み、真空完了時に前記スライドボディーが下降して前記接触パネルが前記端子から分離されることを特徴とする請求項１に記載のハンディー型真空吸引装置。
【請求項３】
前記端子は前記圧力スイッチ部の圧力スイッチ部ボディーに形成された端子挿入孔を通して一端が外部に露出されることを特徴とする請求項２に記載のハンディー型真空吸引装置。
【請求項４】
前記接触パネルは中央が貫通した円板状であり、前記端子の末端部を弾性支持する接点部を設けたことを特徴とする請求項２に記載のハンディー型真空吸引装置。
【請求項５】
前記スライドボディーは円筒形のメインボディーと前記メインボディーの上部中央に形成されたスライド棒とを含み、前記メインボディーの側部には気密を保持するための第２リングが取り付けられる第２リング結合溝を設けたことを特徴とする請求項２に記載のハンディー型真空吸引装置。
【請求項６】
前記メインボディーの下部に結合突起を設け、この結合突起が、前記カバーに形成された結合突起挿入溝に結合されることを特徴とする請求項５に記載のハンディー型真空吸引装置。
【請求項７】
前記カバーの上部中央には中空型の円筒状からなるスプリング取付け部を設けたことを特徴とする請求項２に記載のハンディー型真空吸引装置。
【請求項８】
前記真空ポンプは、
モータと、
上部に回転中心から一定距離を隔てて前記回転中心方向に傾斜する傾斜ピンを有し、前記モータの駆動軸に結合するフィクスチャーと、
前記傾斜ピンに結合され、偏心した上下揺動運動をするローリングプレートと、
前記ローリングプレートの作動に応じて内部の体積が変化する少なくとも２つのダイアフラムを備えるダイアフラム部とを含み、
前記ダイアフラムの体積の変化に応じて吸気と排気の動作を繰り返すことを特徴とする請求項１に記載のハンディー型真空吸引装置。
【請求項９】
前記ローリングプレートには横側に繰り広げられた作動翼を設け、前記作動翼には前記ダイアフラムの作動突起が結合される作動突起挿入溝を設けたことを特徴とする請求項８に記載のハンディー型真空吸引装置。
【請求項１０】
前記ダイアフラム部の中央には排気バルブが設けられ、前記ダイアフラムの上部には排気路を側部に有するガイドリングが設けられ、前記ガイドリングは空気ポートに固定されることを特徴とする請求項８に記載のハンディー型真空吸引装置。
【請求項１１】
前記ダイアフラムのチェンバーには吸気バルブを設けたことを特徴とする請求項１０に記載のハンディー型真空吸引装置。
【請求項１２】
前記空気ポートの中央には排気口が形成され、前記空気ポートの上部には空気流入のための溝が形成されることを特徴とする請求項１０に記載のハンディー型真空吸引装置。
【請求項１３】
据え置き台ボディーと、前記据え置き台ボディーの上部に噴火口のように形成された据え置き部とを含み、前記キャップ部分が前記据え置き部に挿入されるようにする据え置き台をさらに含むことを特徴とする請求項１乃至１２の何れか一項に記載のハンディー型真空吸引装置。
【請求項１４】
前記据え置き台ボディーは円錐台状であり、前記据え置き部は前記キャップの外部形状に対応するように形成されることを特徴とする請求項１３に記載のハンディー型真空吸引装置。
【発明の詳細な説明】
【技術分野】
【０００１】
本発明は、ハンディー型真空吸引装置に関するものである。より詳しくは、真空ポンプ内部への水分流入を最小化できる吸引ノズルを備え、真空度を測定する圧力スイッチの耐久性を向上させ、且つダイアフラム式真空ポンプを備えて内部構成をコンパクト化したハンディー型真空吸引装置に関するものである。
【背景技術】
【０００２】
果物、野菜、肉類、おかずなどの食品を保管する際、空気に接触すると空気中の酸素によって食品が早めに腐ったり傷んだりする。そのため、容器内の空気を外部に排出させて真空状態で保管できる真空容器が用いられている。
真空容器は容器そのものに内部空気を外部に排出させるための排気手段を備える場合もあるが、通常的には、真空容器の一端に内部空気を排出するためのチェックバルブを備え、別途の真空吸引装置を用いて真空容器の内部空気を外部に排出させるようにする。
【０００３】
図１は従来の真空容器および真空吸引装置の斜視図である。
図１には米国特許公報第５１９５４２７号に記載された真空容器および真空吸引装置が示されている。真空容器１にはチェックバルブ３が備えられる。真空吸引装置５は真空容器１のチェックバルブ３に密着した状態で内部に備えられた真空ポンプを用いて真空容器１の内部空気を外部に排出させる。真空吸引装置５には作動のための作動ボタン７が備えられ、作動状態を示すためのＬＥＤ形態の表示部９が備えられ得る。
このような真空吸引装置５は、チェックバルブ３に付着して空気を吸引する吸引ノズルが末端に備えられ、内部には真空状態をなすための真空ポンプが備えられ、その他の作動制御のための回路が内装される。
【０００４】
ところが、真空容器から空気を吸引する過程で水分が共に排出され得るが、このような水分が真空ポンプに伝えられることは好ましくない。従来の真空吸引装置においては、水分が真空ポンプに伝えられることを効果的に阻止するための手段が具体的に提示されていない問題点がある。
また、従来の真空吸引装置はクラウンギアとコネクティングロッドを用いてピストンを駆動する構成をなしているが、これは、騒音発生や耐久性の側面から優れた効果を示さず、真空ポンプをコンパクトに構成できない短所があった。
さらに、従来の真空吸引装置の場合、使用済み後の真空吸引装置を保管する際にその保管が容易ではない短所もあった。
【発明の開示】
【発明が解決しようとする課題】
【０００５】
上記のような問題点を解決するための本発明は、真空ポンプ内部への水分流入を最小化できる吸引ノズルを備え、真空度を測定する圧力スイッチの耐久性を向上させ、且つダイアフラム式真空ポンプを備えて内部構成をコンパクト化したハンディー型真空吸引装置を提供することをその目的とする。
また、本発明は、真空吸引装置を便利に据え置きできる据え置き台を含むハンディー型真空吸引装置を提供することをその目的とする。
【課題を解決するための手段】
【０００６】
上記目的を達成するための本発明は、ハンディー型真空吸引装置であって、外部ケース；下部に吸引口を備え、側面に前記吸引口と連通する側面排出孔を備える吸引ノズルを含み、前記外部ケースの下端に着脱可能に取り付けられるキャップ；前記外部ケースに内装され、前記キャップ内部の圧力が所定圧力以下に落ちる場合、スプリングの弾性力を克服して下降するスライドボディーを備えて電源供給を遮断する圧力スイッチと、上下に貫通形成された吸引管とを含む圧力スイッチ部；前記吸引管に連結される吸気口を備え、ダイアフラム方式によって空気を吸引する真空ポンプ；および作動スイッチを備え、前記真空ポンプと前記圧力スイッチと電気的に連結されて前記真空ポンプの作動を制御する制御部；を含むハンディー型真空吸引装置を提供する。
【０００７】
前記圧力スイッチ部の前記圧力スイッチは、１対の端子と接点を形成する導電性の接触パネルと、前記接触パネルが固定されるスライドボディーと、前記スライドボディーの下部に備えられるカバーと、前記スライドボディーと前記カバーとの間に備えられ、前記スライドボディーを弾性支持するスプリングとを含み、真空完了時に前記スライドボディーが下降して前記接触パネルが前記端子から分離されることを特徴とする。
【０００８】
前記真空ポンプは、モータと、上部に回転中心から一定距離を隔てて前記回転中心方向に傾斜する傾斜ピンを備え、前記モータの駆動軸に結合するフィクスチャーと、前記傾斜ピンに結合され、偏心した上下揺動運動をするローリングプレートと、前記ローリングプレートの作動に応じて内部の体積が変化する少なくとも２つのダイアフラムを備えるダイアフラム部とを含み、前記ダイアフラムの体積の変化に応じて吸気と排気の動作を繰り返すことを特徴とする。
【０００９】
また、本発明に係るハンディー型真空吸引装置は、据え置き台ボディーと、前記据え置き台ボディーの上部に噴火口のように形成された据え置き部とを含み、前記キャップ部分が前記据え置き部に挿入されるようにする据え置き台をさらに含むことを特徴とする。
【発明の効果】
【００１０】
本発明によれば、内部構成をコンパクトにできるハンディー型真空吸引装置が提供される。また、本発明によれば、真空ポンプ内部への水分流入を最小化し、圧力スイッチの耐久性を向上させて構造を単純化し、且つダイアフラム式真空ポンプを用いて耐久性および真空効率を増加させることができる長所がある。
【発明を実施するための最良の形態】
【００１１】
以下、本発明の好ましい実施形態を添付図面を参照して詳細に説明する。先ず、各図面の構成要素に参照符号を付加する際、同一構成要素については、他の図面上に示すときにもできるだけ同一符号を与えるようにしていることを留意しなければならない。また、本発明を説明するにおいて、関連する公知構成または機能に関する具体的な説明が本発明の要旨を濁す恐れがあると判断されればその詳細な説明は省略する。さらに、以下では本発明の好ましい実施形態を説明するが、本発明の技術的思想はそれに限定および制限されず、当業者によって変形され多様に実施され得ることは言うまでもない。
【００１２】
図２は本発明の好ましい実施形態に係る真空吸引装置の斜視図であり、図３は本発明の好ましい実施形態に係る真空吸引装置のキャップの断面図であり、図４は本発明の好ましい実施形態に係る真空吸引装置を置くための据え置き台の断面図である。
【００１３】
図２に示すように、本発明の好ましい実施形態に係る真空吸引装置１０は、外部ケース１２と、外部ケース１２の下端部に着脱可能に結合されるキャップ１６とを含んでなっている。外部ケース１２には電源供給のための電源供給部１４が備えられ、電源供給のための差込み口（図示せず）が電源供給部１４に挿入できるようにする。外部ケース１２の上部には作動ボタン２４が備えられる。外部ケース１２の下端部に着脱可能に結合するキャップ１６は透明になっていて内部が透き通るようにすることが好ましい。キャップ１６には吸引ノズル１８が取り付けられるが、吸引ノズル１８の下部には吸引口２０が形成され、側面には側面排出孔２２が形成される。
【００１４】
図３に示すように、吸引口２０は側面排出孔２２と連通するように形成される。吸引口２０は真空容器のチェックバルブの上端に密着して真空容器内部の空気が吸引される入り口となる。一方、側面排出孔２２は吸引ノズル１８の側部に形成されるため、吸引口２０を通して流入される空気は吸引ノズル１８の側面方向に抜け出すようになる。それにより、真空容器内から排出される空気中に含まれている水分が吸引ノズル１８で凝結するようになり、直接的に真空ポンプに供給されないようにする。
【００１５】
本発明に係る真空吸引装置１０は据え置き台２６をさらに備えることができる。据え置き台２６は据え置き台ボディー３０と、据え置き台ボディー３０の上部に噴火口のように形成された据え置き部２８とを含んでなっている。据え置き台ボディー３０は円錐台形状であり得る。据え置き部２８の内部は、図４に示すように真空吸引装置１０のキャップ１６の外部形状に対応するように形成される。それにより、真空吸引装置１０を据え置き台２６に置くと、キャップ１６の外周面に据え置き部２８の内面が密着して真空吸引装置１０が安定的に据え置かれる。
【００１６】
図５は本発明の好ましい実施形態に係る真空吸引装置の分解斜視図である。
真空吸引装置１０の外部ケース１２は第１ケース１２ａと第２ケース１２ｂが結合して形成される。外部ケース１２の末端には前述したキャップ１６が結合される。外部ケース１２の内部には圧力スイッチ部４０、真空ポンプ５０、および制御部６０が内装され、上部には作動ボタン２４が備えられる。
【００１７】
圧力スイッチ部４０には圧力スイッチ部ボディー４２と、キャップ１６内部の真空度に応じて作動する圧力スイッチ４４、および上下に貫通形成される吸引管４６が備えられる。吸引管４６は真空ポンプ５０の吸気口と結合される。真空ポンプ５０はモータ５２とポンプハウジング５４とを含む。制御部６０には作動ボタン２４を押すことによって操作される作動スイッチ６２が備えられ、作動状態を示すためのＬＥＤ６４が備えられる。制御部６０は電源供給部１４、真空ポンプ５０のモータ５２、圧力スイッチ４４と各々電気的に接続される。それにより、制御部６０は、電源供給部１４から電源の供給を受け、作動スイッチ６２の操作によって真空ポンプ５０のモータ５２を駆動し、キャップ１６内部の圧力が所定圧力以下に落ちる場合、圧力スイッチ４４の作動によってモータ５２の駆動を停止させるようにする。
【００１８】
圧力スイッチ部４０および真空ポンプ５０の構成についてより詳細に説明する。
図６は本発明の好ましい実施形態に係る真空吸引装置の圧力スイッチ部の分解斜視図であり、図７は本発明の好ましい実施形態に係る真空吸引装置の圧力スイッチ部の正常状態の断面図であり、図８は本発明の好ましい実施形態に係る真空吸引装置の圧力スイッチ部の真空完了時の断面図である。
【００１９】
圧力スイッチ部ボディー４２には第１端子挿入孔７４ａおよび第２端子挿入孔７４ｂが形成され、各々には棒状の第１端子７２ａおよび第２端子７２ｂが挿入され固定される。端子挿入孔７４に固定された端子７２には電気的接続のための電線（図示せず）が連結される。圧力スイッチ部ボディー４２の下部にはカバー固定孔８９が形成されてカバー８６を固定させる。
【００２０】
端子７２の下部には接触パネル７６が備えられる。接触パネル７６は導電性物質からなっている。接触パネル７６は中央が貫通した円板状であることが好ましい。接触パネル７６には端子７２の末端部を弾性支持しながら接触する接点部（７７ａ，７７ｂ）が形成されることが好ましい。このような接点部（７７ａ，７７ｂ）は一種の板スプリングの形態で備えられる。接触パネル７６はスライドボディー７０のメインボディー８２上部の接触パネル固定部８４にネジなどを用いて固定される。
【００２１】
スライドボディー７０は円筒形のメインボディー８２とメインボディー８２の上部中央に結合されたスライド棒８０とを含み、メインボディー８２の下部には結合突起（８３ａ，８３ｂ）が備えられる。一方、スライド棒８０の側面とメインボディー８２の側面には各々第１リング結合溝８１ａと第２リング結合溝８１ｂが備えられ、第１リング７８ａおよび第２リング７８ｂが各々取り付けられる。
【００２２】
スライドボディー７０の下部にはカバー８６が備えられる。カバー８６の中央には中空型の円筒状からなるスプリング取付け部９０が備えられ、スプリング取付け部９０の側部には結合突起挿入溝（９２ａ，９２ｂ）が形成される。また、カバー８６には側面に突出形成されたカバー取付け突起８８が備えられる。カバー取付け突起８８が圧力スイッチ部ボディー４２に形成されたカバー固定孔８９に結合することにより、カバー８６は圧力スイッチ部ボディー４２に固定される。スライドボディー７０の結合突起（８３ａ，８３ｂ）はカバーの結合突起挿入溝（９２ａ，９２ｂ）に結合する。
【００２３】
一方、スライドボディー７０とカバー８６との間にはスプリング９４が取り付けられる。
図７に示すように、正常状態において、スライドボディー７０はスプリング９４によって弾性支持され、接触パネル７６は端子７２に接触した状態で維持される。それにより、作動スイッチ６２をオンにすると真空ポンプ５０のモータ５２に電源が供給される。
【００２４】
真空ポンプ５０の作動によって真空容器内の空気を外部に排出させるとキャップ１６内の圧力が次第に低くなる。圧力がさらに低くなって所定圧力以下に落ちると、スライドボディー７０はスプリング９４の弾性力を克服して下降するようになる。図８に示すように、スライドボディー７０が下降するにつれて接触パネル７６も下降して端子７２から分離される。それにより、真空ポンプ５０のモータ５２に供給される電源が遮断されて作動が終了する。
【００２５】
次に真空ポンプ５０の構成について詳細に説明する。
図９は本発明の好ましい実施形態に係る真空吸引装置の真空ポンプの分解斜視図であり、図１０は本発明の好ましい実施形態に係る真空吸引装置の真空ポンプにおいて、空気ポートとガイドリングが結合された斜視図（ａ）と空気ポートの底面図（ｂ）およびガイドリングの斜視図（ｃ）であり、図１１は本発明の好ましい実施形態に係る真空吸引装置の真空ポンプにおいて、吸気過程（ａ）と排気過程（ｂ）を説明するための図面である。
【００２６】
真空ポンプ５０はモータ５２とポンプハウジング５４とを含む。ポンプハウジング５４は、第１ハウジング５４ａ、第２ハウジング５４ｂ、空気ポート１５０、および第３ハウジング５４ｃが順次結合されて形成される。第３ハウジング５４ｃには結合ボルト１６４が取り付けられ、結合ボルト１６４が空気ポート１５０および第２ハウジング５４ｂを順次貫通して第１ハウジング５４ａに結合される。
第１ハウジング５４ａにはフィクスチャー１００とローリングプレート１１０が内装される。フィクスチャー１００はモータ５２の駆動軸に結合され、フィクスチャー１００の上端には回転中心から一定距離を隔てて回転中心方向に傾斜する傾斜ピン１０２が備えられる。
【００２７】
ローリングプレート１１０は、下部中央に挿入孔１１２が形成され、横側に繰り広げられた作動翼１１４が備えられる。作動翼１１４は後述するダイアフラム１２２の個数に対応して備えられる。挿入孔１１２にはフィクスチャー１００の傾斜ピン１０２が結合され、フィクスチャー１００の回転に応じてローリングプレート１１０が偏心するように上下に揺動するようにする。つまり、ローリングプレート１１０の回転中心を基準に一側が直角をなすと、他側は回転中心を基準に傾斜した面を形成しつつ、ローリングプレート１１０の作動翼１１４と結合されたダイアフラム１２２を圧縮または膨張させる。
【００２８】
第２ハウジング５４ｂには貫通孔１１８が形成され、貫通孔１１８にダイアフラム１２２が内装される。貫通孔１１８を通してダイアフラム１２２の作動突起１２４が通過し、作動突起１２４はローリングプレート１１０の作動翼１１４に備えられた作動突起挿入溝１１６に結合する。
【００２９】
ダイアフラム部１２０はダイアフラム１２２を複数備え、好ましくは図９に示すように３つのダイアフラム１２２を備える。ダイアフラム１２２には作動突起１２４が結合され、ダイアフラム１２２の内部はチェンバー１２６を形成する。ダイアフラム部１２０の上部中央、すなわちダイアフラム１２２の中央には排気バルブ１２８が備えられる。チェンバー１２６の上部にはカイドリング１３０が位置するが、カイドリング１３０は空気ポート１５０の底面に形成されたカイドリング挿入溝１３４に結合する。ダイアフラム１２２のチェンバー１２６には吸気バルブ１４０が備えられる。ここで、ダイアフラム１２２と排気バルブ１２８および吸気バルブ１４０は柔軟性のある材質からなっており、外力の作用によって容易に変形され得る。
【００３０】
カイドリング１３０には、図１０（ｃ）に示すように排気路１３２が備えられる。それにより、ダイアフラム１２２が収縮すれば、内部の空気はカイドリング１３０の排気路１３２に沿って排気バルブ１２８を押し出して排気口１５２に排出される。一方、ダイアフラム１２２が膨張すれば、第３ハウジング５４ｃに形成された吸気口１６０に沿って空気が吸引され、空気ポート１５０の上部に形成された溝１５４に沿って吸気バルブ１４０を通してチェンバー１２６に流入される。吸気口１６０は圧力スイッチ部４０の吸引管４６に連結される。
【００３１】
空気ポート１５０の排気口１５２は第３ハウジング５４ｃに形成された排気口露出孔１６２を通して外部に露出される。一方、排気口１５２の外周面には排気口Ｏ−リング１５８が取り付けられる。
【００３２】
図１１に示すように、ローリングプレート１１０が回転するにつれて吸気過程（ａ）と排気過程（ｂ）が順次行われるようになる。一方、第２ハウジング５４ｂの底面にはローリングプレート１１０の中心と接触するボス１７０を形成し、ローリングプレート１１０の中央部を支持することが好ましい。
【００３３】
以上の説明は本発明の技術思想を例示的に説明したものに過ぎず、本発明が属する技術分野で通常の知識を有する者であれば、本発明の本質的な特性から脱しない限り、多様な修正、変更、および置き換えすることができるはずである。よって、本発明に開示された実施形態および添付図面は本発明の技術思想を限定するためのものではなく説明するためのものであって、このような実施形態および添付図面によって本発明の技術思想の範囲が限定されるものではない。本発明の保護範囲は下記の請求範囲によって解釈すべきであり、それと同等な範囲内にある全ての技術思想は本発明の権利範囲に含まれると解釈しなければならない。
【図面の簡単な説明】
【００３４】
【図１】従来の真空容器および真空吸引装置の斜視図である。
【図２】本発明の好ましい実施形態に係る真空吸引装置の斜視図である。
【図３】本発明の好ましい実施形態に係る真空吸引装置のキャップの断面図である。
【図４】本発明の好ましい実施形態に係る真空吸引装置を置くための据え置き台の断面図である。
【図５】本発明の好ましい実施形態に係る真空吸引装置の分解斜視図である。
【図６】本発明の好ましい実施形態に係る真空吸引装置の圧力スイッチ部の分解斜視図である。
【図７】本発明の好ましい実施形態に係る真空吸引装置の圧力スイッチ部の正常状態の断面図である。
【図８】本発明の好ましい実施形態に係る真空吸引装置の圧力スイッチ部の真空完了時の断面図である。
【図９】本発明の好ましい実施形態に係る真空吸引装置の真空ポンプの分解斜視図である。
【図１０】本発明の好ましい実施形態に係る真空吸引装置の真空ポンプにおいて,空気ポートとガイドリングが結合した斜視図(a)、空気ポートの底面図(b)、ガイドリングの斜視図(c)である。
【図１１】本発明の好ましい実施形態に係る真空吸引装置の真空ポンプにおける吸気過程(a)と排気過程(b)を説明するための図面である。
【符号の説明】
【００３５】
１０：真空吸引装置
１２：外部ケース
１４：電源供給部
１６：キャップ
１８：吸引ノズル
２４：作動ボタン
２６：据え置き台
４０：圧力スイッチ部
５０：真空ポンプ
６０：制御部
【図１】
2008281007.tif 000003
【図２】
2008281007.tif 000004
【図３】
2008281007.tif 000005
【図４】
2008281007.tif 000006
【図５】
2008281007.tif 000007
【図６】
2008281007.tif 000008
【図７】
2008281007.tif 000009
【図８】
2008281007.tif 000010
【図９】
2008281007.tif 000011
【図１０】
2008281007.tif 000012
【図１１】
2008281007.tif 000013